(57)【特許請求の範囲】
【請求項１】
テレビカメラによって撮影した映像信号を出力するカメラ付きドアホン子機と、映像信号を入力してカメラ付きドアホン子機にて撮影された映像を映し出すテレビ付きインターホン親機と、を備え、テレビ付きインターホン親機及びカメラ付きドアホン子機間を２線平衡ケーブルによって接続し、テレビ付きインターホン親機がカメラ付きドアホン子機へ電源供給するとともに動作制御を行うテレビドアホンシステムにおいて、
前記テレビ付きインターホン親機は、
カメラ付きドアホン子機と接続する２線平衡ケーブルを接続する端子と、
受話音声等を出力するスピーカ及び送話音声を入力し電気音声信号に変換するマイクを有しているハンドセットと、音声信号を増幅しハンドセットのスピーカを駆動するためのスピーカアンプと、ハンドセットのマイクからの音声信号を増幅するためのマイクアンプと、一対の配線によって伝送されて入力された送話及び受話の音声信号を２線配線を４線配線に変換する音声４線２線変換回路と、を備えて構成される音声部と、
テレビ付きインターホン親機の内部回路用の電源生成を行う電源回路と、カメラ付きドアホン子機への電源生成のための給電回路とを備えて構成される電源部と、
カメラ付きドアホン子機、テレビ付きインターホン親機の各回路の動作制御を行うとともに、カメラ付きドアホン子機の複数の動作状態を制御するため、カメラ付きドアホン子機への供給電源の電圧または電流の短時間の立ち上がりの大きさを変化させる電源操作手段により、前記給電回路の出力電圧を調節する制御部と、
を備えて構成され、
前記カメラ付きドアホン子機は、
テレビ付きインターホン親機と接続する２線平衡ケーブルを接続する端子と、
受話音声等を出力するスピーカと、送話音声を入力し電気音声信号に変換するマイクと、音声信号を増幅しスピーカを駆動するためのスピーカアンプと、マイクからの音声信号を増幅するためのマイクアンプと、送話及び受話の音声信号を一対の配線によって伝送するために４線配線を２線配線に変換する音声２線４線変換回路と、を有する音声部と、
端子からみた入力インピーダンスを所定の値に変換するためのインピーダンス変換回路と、端子と接続し第１安定化電源の動作を制御する第１電圧検出スイッチ回路と、第１電圧検出スイッチ回路に制御されて上記スピーカアンプを除く他の回路に向けて電源を供給する第１安定化電源と、スピーカアンプ用の第２安定化電源と、ツェナーダイオードを備えて構成され端子に印可される電源入力電圧の短時間の立ち上がりの大きさ変化を検出し識別する電源操作識別手段たる第２電圧検出・制御回路と、インピーダンス変換回路と第２安定化電源との間に介在接続されるトランジスタスイッチを備えて構成され第２電圧検出・制御回路からの出力によってスピーカのみの動作を停止するスイッチ手段たるスピーカアンプ動作スイッチ回路と、ツェナーダイオードおよびトランジスタスイッチとを備えて構成され第２電圧検出・制御回路とスピーカアンプ動作スイッチ回路と接続する第１電圧検出・自己保持回路と、第１電圧検出・自己保持回路のトランジスタスイッチに並列に接続されて、スイッチの入操作に応じてテレビ付きインターホン親機を呼び出すとともに閉路を形成してスピーカを動作する呼出スイッチと、を有して構成される受電部と、
を備えて構成され、
カメラ付きドアホン子機がテレビ付きインターホン親機によって待機状態から複数の動作状態に制御されることを特徴とするテレビドアホンシステム。
【請求項２】
テレビカメラによって撮影した映像信号を出力するカメラ付きドアホン子機と、映像信号を入力してカメラ付きドアホン子機にて撮影された映像を映し出すテレビ付きインターホン親機と、を備え、テレビ付きインターホン親機及びカメラ付きドアホン子機間を２線平衡ケーブルによって接続し、テレビ付きインターホン親機がカメラ付きドアホン子機へ電源供給するとともに動作制御を行うテレビドアホンシステムにおいて、
前記テレビ付きインターホン親機は、
カメラ付きドアホン子機と接続する２線平衡ケーブルを接続する端子と、
受話音声等を出力するスピーカ及び送話音声を入力し電気音声信号に変換するマイクを有しているハンドセットと、音声信号を増幅しハンドセットのスピーカを駆動するためのスピーカアンプと、ハンドセットのマイクからの音声信号を増幅するためのマイクアンプと、一対の配線によって伝送されて入力された送話及び受話の音声信号を２線配線を４線配線に変換する音声４線２線変換回路と、を備えて構成される音声部と、
テレビ付きインターホン親機の内部回路用の電源生成を行う電源回路と、カメラ付きドアホン子機への電源生成のための給電回路とを備えて構成される電源部と、
カメラ付きドアホン子機、テレビ付きインターホン親機の各回路の動作制御を行うとともに、カメラ付きドアホン子機の複数の動作状態を制御するため、カメラ付きドアホン子機への供給電源の電圧または電流の短時間の立ち上がりの大きさを変化させる電源操作手段により、前記給電回路の出力電圧を調節する制御部と、
を備えて構成され、
前記カメラ付きドアホン子機は、
テレビ付きインターホン親機と接続する２線平衡ケーブルを接続する端子と、
受話音声等を出力するスピーカと、送話音声を入力し電気音声信号に変換するマイクと、音声信号を増幅しスピーカを駆動するためのスピーカアンプと、マイクからの音声信号を増幅するためのマイクアンプと、送話及び受話の音声信号を一対の配線によって伝送するために４線配線を２線配線に変換する音声２線４線変換回路と、を有する音声部と、
端子からみた入力インピーダンスを所定の値に変換するためのインピーダンス変換回路と、端子と接続し第１安定化電源の動作を制御する第１電圧検出スイッチ回路と、第１電圧検出スイッチ回路に制御されて上記スピーカアンプを除く他の回路に向けて電源を供給する第１安定化電源と、スピーカアンプ用の第２安定化電源と、ツェナーダイオードを備えて構成され端子に印可される電源入力電圧の短時間の立ち上がりの大きさ変化を検出し識別する電源操作識別手段を構成する第２電圧検出・制御回路と、ツェナーダイオードを有して電源操作識別手段電源操作識別手段を構成する第１電圧検出遅延トリガー発生回路と、インピーダンス変換回路と第２安定化電源との間に介在接続される開閉スイッチであり制御信号保持回路からの出力によってスピーカのみの動作を停止するスイッチ手段たるスピーカアンプ動作スイッチ回路と、第２電圧検出・制御回路と第１電圧検出遅延トリガー発生回路とにより制御されて電源入力電圧の大きさ変化を検出するＤフリップフロップ回路を備える制御信号保持回路と、制御信号保持回路のＤフリップフロップ回路のＳｅｔ端子に接続され、テレビ付きインターホン親機を呼び出すとともに閉路操作によってスピーカを動作する呼出スイッチと、を有して構成される受電部と、
を備えて構成され、
カメラ付きドアホン子機がテレビ付きインターホン親機によって待機状態から複数の動作状態に制御されることを特徴とするテレビドアホンシステム。
【発明の詳細な説明】
【０００１】
【発明の属する技術分野】
本発明は、テレビ付きインターホン親機とカメラ付きドアホン子機とが２線によって接続されたテレビドアホンシステムに関する。
【０００２】
【従来の技術】
カメラ付きドアホン子機（以下、カメラ子機と称する）のテレビカメラによって撮影した映像をテレビ付きインターホン親機（以下、テレビ親機と称する）のモニターテレビに映し出し、来訪者の映像を確認して通話を行うテレビドアホンシステムにおいて、テレビ親機及びカメラ子機間の接続を簡略化するために、図８、図９に示すような、２線平衡ケーブルによって接続するものが提案されている。このテレビドアホンシステムにおいては、図８に示すテレビ親機は、図９に示すカメラ子機に電源を供給するとともに、給電用直流電圧に音声信号や映像信号を重畳する多重化伝送において制御信号も多重化し、テレビ親機及びカメラ子機間の通話動作の制御をしている。
【０００３】
上記の通話動作の制御は、マイコン２４１によって給電回路２３２が制御されて行われる。詳しくは、図１０の（ａ）に示すように、通常の待機状態においては、カメラ子機側の映像回路や音声回路が不動作となるとともに、呼び出しスイッチのみを検出し得る程度の低い電圧として例えば大略６Ｖの待機電圧が、動作時の通話状態においては、映像回路や音声回路を作動するために例えば大略１４Ｖの通話動作電圧が、それぞれ回線端子２５に出力されて２線の回線間に印加され、テレビ親機からカメラ子機に向けて給電されるものである。また、例えば、テレビ親機において映像確認のみ行い通話をしないモニターモード動作等、カメラ子機の動作モードの制御は、テレビ親機から、マイコン２４１の制御によって音声ＦＭ変調回路２２５が制御されて行われる。詳しくは、例えば大略６．５ＭＨｚのＦＭキャリア信号による制御信号を発生し、この制御信号をカメラ子機側で復調することによって行っている。すなわち、上記の通話動作電圧の印加時に、図１０の（ｂ）に示すように、テレビ親機において映像確認のみ行い通話をしないモニターモードにおいては、上記のＦＭキャリア信号による制御信号を発生せず、図１０の（ｃ）に示すように、映像確認と通話とを行う映像通話モードにおいては、上記のＦＭキャリア信号による制御信号を発生し、それぞれの制御を行っている。図９に示すカメラ子機は、上記のＦＭキャリア信号をキャリア検出制御回路１５によって検出し、スピーカアンプ動作スイッチ回路１３５をオフ状態に制御する。そして、例えば、テレビ親機において映像確認のみ行い通話をしないモニターモード動作の制御が行われる。
【０００４】
【発明が解決しようとする課題】
ところで、上記のカメラ子機の制御に用いられるＦＭキャリア信号は、音声信号や映像信号に影響を与えない固有の周波数帯域の信号で、音声信号や映像信号とともに周波数多重方式の回路を用いて多重化されて伝送される。従って、テレビ親機及びカメラ子機のそれぞれに複雑な回路を必要とするものであった。また、さらに上記のモニターモード以外の動作、例えば、カメラ子機のテレビカメラを動作させないで通話スピーカ用のスピーカアンプのみ動作をさせ、呼び出しスイッチの操作が行われたことを来訪者に確認させるためのバックトーンモード等の動作をさせるために、より複雑な回路を必要とするものであった。
【０００５】
本発明は、上記事由に鑑みてなしたもので、その目的とするところは、テレビ付きインターホン親機によりカメラ付きドアホン子機を簡単な回路構成によって制御できて、以て、安価な制御回路のテレビドアホンシステムを提供することにある。
【０００６】
【課題を解決するための手段】
上記目的を達成するために、請求項１記載のテレビドアホンシステムは、
テレビカメラによって撮影した映像信号を出力するカメラ付きドアホン子機と、映像信号を入力してカメラ付きドアホン子機にて撮影された映像を映し出すテレビ付きインターホン親機と、を備え、テレビ付きインターホン親機及びカメラ付きドアホン子機間を２線平衡ケーブルによって接続し、テレビ付きインターホン親機がカメラ付きドアホン子機へ電源供給するとともに動作制御を行うテレビドアホンシステムにおいて、
前記テレビ付きインターホン親機は、
カメラ付きドアホン子機と接続する２線平衡ケーブルを接続する端子と、
受話音声等を出力するスピーカ及び送話音声を入力し電気音声信号に変換するマイクを有しているハンドセットと、音声信号を増幅しハンドセットのスピーカを駆動するためのスピーカアンプと、ハンドセットのマイクからの音声信号を増幅するためのマイクアンプと、一対の配線によって伝送されて入力された送話及び受話の音声信号を２線配線を４線配線に変換する音声４線２線変換回路と、を備えて構成される音声部と、
テレビ付きインターホン親機の内部回路用の電源生成を行う電源回路と、カメラ付きドアホン子機への電源生成のための給電回路とを備えて構成される電源部と、
カメラ付きドアホン子機、テレビ付きインターホン親機の各回路の動作制御を行うとともに、カメラ付きドアホン子機の複数の動作状態を制御するため、カメラ付きドアホン子機への供給電源の電圧または電流の短時間の立ち上がりの大きさを変化させる電源操作手段により、前記給電回路の出力電圧を調節する制御部と、
を備えて構成され、
前記カメラ付きドアホン子機は、
テレビ付きインターホン親機と接続する２線平衡ケーブルを接続する端子と、
受話音声等を出力するスピーカと、送話音声を入力し電気音声信号に変換するマイクと、音声信号を増幅しスピーカを駆動するためのスピーカアンプと、マイクからの音声信号を増幅するためのマイクアンプと、送話及び受話の音声信号を一対の配線によって伝送するために４線配線を２線配線に変換する音声２線４線変換回路と、を有する音声部と、
端子からみた入力インピーダンスを所定の値に変換するためのインピーダンス変換回路と、端子と接続し第１安定化電源の動作を制御する第１電圧検出スイッチ回路と、第１電圧検出スイッチ回路に制御されて上記スピーカアンプを除く他の回路に向けて電源を供給する第１安定化電源と、スピーカアンプ用の第２安定化電源と、ツェナーダイオードを備えて構成され端子に印可される電源入力電圧の短時間の立ち上がりの大きさ変化を検出し識別する電源操作識別手段たる第２電圧検出・制御回路と、インピーダンス変換回路と第２安定化電源との間に介在接続されるトランジスタスイッチを備えて構成され第２電圧検出・制御回路からの出力によってスピーカのみの動作を停止するスイッチ手段たるスピーカアンプ動作スイッチ回路と、ツェナーダイオードおよびトランジスタスイッチとを備えて構成され第２電圧検出・制御回路とスピーカアンプ動作スイッチ回路と接続する第１電圧検出・自己保持回路と、第１電圧検出・自己保持回路のトランジスタスイッチに並列に接続されて、スイッチの入操作に応じてテレビ付きインターホン親機を呼び出すとともに閉路を形成してスピーカを動作する呼出スイッチと、を有して構成される受電部と、
を備えて構成され、
カメラ付きドアホン子機がテレビ付きインターホン親機によって待機状態から複数の動作状態に制御されることを特徴とする。
【０００７】
これにより、カメラ付きドアホン子機が供給電源の電圧または電流の大きさの変化によって複数の動作状態に制御されるものとなる。また、カメラ付きドアホン子機が短時間の供給電源の電圧または電流の大きさの変化によって制御されて動作状態の変わるものとなる。また、受話音声を出力するスピーカの動作が停止制御されるものとなる。また、呼出スイッチの入操作によってスピーカが動作するように制御されるものとなる。
【０００８】
また、請求項２記載のテレビドアホンシステムは、
テレビカメラによって撮影した映像信号を出力するカメラ付きドアホン子機と、映像信号を入力してカメラ付きドアホン子機にて撮影された映像を映し出すテレビ付きインターホン親機と、を備え、テレビ付きインターホン親機及びカメラ付きドアホン子機間を２線平衡ケーブルによって接続し、テレビ付きインターホン親機がカメラ付きドアホン子機へ電源供給するとともに動作制御を行うテレビドアホンシステムにおいて、
前記テレビ付きインターホン親機は、
カメラ付きドアホン子機と接続する２線平衡ケーブルを接続する端子と、
受話音声等を出力するスピーカ及び送話音声を入力し電気音声信号に変換するマイクを有しているハンドセットと、音声信号を増幅しハンドセットのスピーカを駆動するためのスピーカアンプと、ハンドセットのマイクからの音声信号を増幅するためのマイクアンプと、一対の配線によって伝送されて入力された送話及び受話の音声信号を２線配線を４線配線に変換する音声４線２線変換回路と、を備えて構成される音声部と、
テレビ付きインターホン親機の内部回路用の電源生成を行う電源回路と、カメラ付きドアホン子機への電源生成のための給電回路とを備えて構成される電源部と、
カメラ付きドアホン子機、テレビ付きインターホン親機の各回路の動作制御を行うとともに、カメラ付きドアホン子機の複数の動作状態を制御するため、カメラ付きドアホン子機への供給電源の電圧または電流の短時間の立ち上がりの大きさを変化させる電源操作手段により、前記給電回路の出力電圧を調節する制御部と、
を備えて構成され、
前記カメラ付きドアホン子機は、
テレビ付きインターホン親機と接続する２線平衡ケーブルを接続する端子と、
受話音声等を出力するスピーカと、送話音声を入力し電気音声信号に変換するマイクと、音声信号を増幅しスピーカを駆動するためのスピーカアンプと、マイクからの音声信号を増幅するためのマイクアンプと、送話及び受話の音声信号を一対の配線によって伝送するために４線配線を２線配線に変換する音声２線４線変換回路と、を有する音声部と、
端子からみた入力インピーダンスを所定の値に変換するためのインピーダンス変換回路と、端子と接続し第１安定化電源の動作を制御する第１電圧検出スイッチ回路と、第１電圧検出スイッチ回路に制御されて上記スピーカアンプを除く他の回路に向けて電源を供給する第１安定化電源と、スピーカアンプ用の第２安定化電源と、ツェナーダイオードを備えて構成され端子に印可される電源入力電圧の短時間の立ち上がりの大きさ変化を検出し識別する電源操作識別手段を構成する第２電圧検出・制御回路と、ツェナーダイオードを有して電源操作識別手段電源操作識別手段を構成する第１電圧検出遅延トリガー発生回路と、インピーダンス変換回路と第２安定化電源との間に介在接続される開閉スイッチであり制御信号保持回路からの出力によってスピーカのみの動作を停止するスイッチ手段たるスピーカアンプ動作スイッチ回路と、第２電圧検出・制御回路と第１電圧検出遅延トリガー発生回路とにより制御されて電源入力電圧の大きさ変化を検出するＤフリップフロップ回路を備える制御信号保持回路と、制御信号保持回路のＤフリップフロップ回路のＳｅｔ端子に接続され、テレビ付きインターホン親機を呼び出すとともに閉路操作によってスピーカを動作する呼出スイッチと、を有して構成される受電部と、
を備えて構成され、
カメラ付きドアホン子機がテレビ付きインターホン親機によって待機状態から複数の動作状態に制御されることを特徴とする。
【０００９】
これにより、カメラ付きドアホン子機が供給電源の電圧または電流の大きさの変化によって複数の動作状態に制御されるものとなる。また、カメラ付きドアホン子機が短時間の供給電源の電圧または電流の大きさの変化によって制御されて動作状態の変わるものとなる。また、受話音声を出力するスピーカの動作が停止制御されるものとなる。また、呼出スイッチの入操作によってスピーカが動作するように制御されるものとなる。
【００１０】
【発明の実施の形態】
以下、本発明のテレビドアホンシステムの実施の形態を図１乃至図７に基づいて第１実施例及び第２実施例を例示して説明する。
【００１１】
［第１実施例］
図１は、第１実施例のテレビドアホンシステムのテレビ親機のブロック図である。図２は、そのカメラ子機のブロック図である。図３は、その要部である受電部の回路構成図である。図４は、図２に示すカメラ子機の入力電圧の波形図である。
【００１２】
このテレビドアホンシステムは、従来例にて説明したものと同様に、テレビカメラによって撮影した映像信号を出力するカメラ子機１と、映像信号を入力しカメラ子機にて撮影された映像を映し出すテレビ親機２と、を備えている。そして、テレビ親機２及びカメラ子機１間を２線平衡ケーブルによって接続して構成されている。なお、本発明は、この一システム構成のみに限定するものでなく、例えば、テレビ親機２と同等の機能を有してテレビ親機の設置されている部屋以外の場所に設置され、カメラ子機１にて撮影された映像を映し出すテレビ付きインターホン副親機を備えるテレビドアホンシステム等であっても良い。
【００１３】
カメラ子機１は、例えば玄関等に設置されるもので、映像部１１と、後述するテレビ親機２との通話を行う音声部１２と、カメラ子機１の内部回路用電源生成のための受電部１３と、を有し、これらはいずれも端子１４に接続されている。
【００１４】
映像部１１は、来訪者を撮影し映像信号を出力するもので、撮影した映像信号を出力するテレビカメラ１１１と、テレビカメラ１１１からの映像信号を例えば所定周波数のＦＭ信号にＦＭ変調する映像変調回路１１２とを有している。
【００１５】
音声部１２は、受話音声等を出力するスピーカ１２１と、送話音声を入力し電気音声信号に変換するマイク１２２と、音声信号を増幅しスピーカ１２１を駆動するためのスピーカアンプ１２３と、マイク１２２からの音声信号を増幅するためのマイクアンプ１２４と、送話及び受話の音声信号を一対の配線によって伝送するために４線配線を２線配線に変換する音声２線４線変換回路１２５とを有している。
【００１６】
受電部１３は、上記の音声信号や映像信号に影響を与えることなく後述するテレビ親機２から直流電源を得るための回路で、端子１４からみた入力インピーダンスを所定の値に変換するためのインピーダンス変換回路１３１と、第１電圧検出スイッチ回路１３２と、上記スピーカアンプ１２３を除く他の回路に向けて電源を供給する第１安定化電源１３３と、端子１４に印可される電源入力電圧の大きさ変化を検出し識別する電源操作識別手段に相当する第２電圧検出・制御回路１３４と、第２電圧検出・制御回路１３４からの出力によってスピーカ１２１のみの動作を停止するスイッチ手段に相当するスピーカアンプ動作スイッチ回路１３５と、第１電圧検出・自己保持回路１３６と、スピーカアンプ用の第２安定化電源１３７とを有している。詳しくは、図３に示すように、第２電圧検出・制御回路１３４に相当するツェナーダイオードＺＤ１と、スピーカアンプ動作スイッチ回路１３５に相当するトランジスタスイッチＱ１と、第１電圧検出・自己保持回路１３６に相当するツェナーダイオードＺＤ２、トランジスタスイッチＱ２と、このトランジスタスイッチＱ２に並列に接続されて、テレビ親機２を呼び出すとともに閉路操作によってスピーカ１２１を動作する呼出スイッチＳＷと、を有して構成されている。
【００１７】
テレビ親機２は、例えば台所等住宅の居室内に設置されるもので、映像部２１と、カメラ子機１との通話を行う音声部２２と、電源部２３と、テレビ親機１の内部制御及びカメラ子機１の複数の動作状態を制御するため、電源部２３のカメラ子機１への供給電源の電圧または電流の大きさを変化させる電源操作手段を形成する制御部２４を有し、これらはいずれも端子２５に接続されている。
【００１８】
映像部２１は、映像信号を入力して映像を映し出すもので、カメラ子機１にて撮影された映像を映し出すテレビモニタを有するテレビ回路部２１１と、カメラ子機１から入力されたＦＭ変調された映像信号を所定の信号レベルに増幅し復調する映像増幅回路２１２とを有している。
【００１９】
音声部２２は、受話音声等を出力するスピーカ及び送話音声を入力し電気音声信号に変換するマイクを有しているハンドセット２２１と、音声信号を増幅しハンドセット２２１のスピーカを駆動するためのスピーカアンプ２２２と、ハンドセット２２１のマイクからの音声信号を増幅するためのマイクアンプ２２３と、一対の配線によって伝送されて入力された送話及び受話の音声信号を２線配線を４線配線に変換する音声４線２線変換回路２２４とを有している。
【００２０】
電源部２３は、テレビ親機１の内部回路用の電源生成を行う電源回路２３１と、カメラ子機１への電源生成のための給電回路２３２とを有している。
【００２１】
制御部２４は、カメラ子機１、テレビ親機２の各回路の動作制御を行うとともに、カメラ子機１の複数の動作状態を制御するため、カメラ子機１への供給電源の電圧の大きさを変化させる電源操作手段により、前記給電回路２３２の出力電圧を調節する。この制御部２４は、例えばワンチップマイクロコンピュータ２４１を主体に構成されており、その内部の記憶部に制御部による所定の動作手順を規定するプログラムや、制御部２４によって処理されうるデータを記憶する。このマイクロコンピュータ２４１には、カメラ子機１の呼出スイッチＳＷが操作されて呼び出されたことを、２線平衡ケーブルの電源電圧変化によって検出するための呼出検出回路２４２からの出力が入力される。
【００２２】
上記の回路構成において、テレビ親機２は、電源操作手段に相当する制御部２４によってカメラ子機２への供給電源の電圧の大きさを変化させ、カメラ子機１の複数の動作状態を制御する。すなわち、給電回路２３２はマイコン２４１によって、カメラ子機１が動作状態においても、図４に示すように、回線端子２５に向けて複数の出力電圧に切り替えられる。そして、テレビ親機２及びカメラ子機１間は、回線端子２５と端子１４との間がそれぞれ２線平衡ケーブルによって接続されており、テレビ親機２からカメラ子機１に向けて給電される直流と、音声信号及び映像信号とが多重化されるとともに、給電電圧の、待機電圧Ｖｗから通話動作電圧である第１電圧Ｖ１、あるいは、待機電圧Ｖｗから第２電圧Ｖ２を経て通話動作電圧である第１電圧Ｖ１の変化を用いて、カメラ子機１側のそれぞれの動作モードを制御している。なお、この２段階による立ち上がり変化の時間は、数１００ｍｓ程度としている。
【００２３】
一方、カメラ子機１は、ツェナーダイオードＺＤ１は、端子１４への印加電圧が待機電圧Ｖｗから第２の検出電圧Ｖ２以上に変化したときに、トランジスタＱ２に対してツェナーダイオードＺＤ１からベース電流を駆動できるツェナー電圧Ｖ２に設定されている。従って、カメラ子機１の端子１４に印加される電源電圧が第２の検出電圧Ｖ２以上のときには、トランジスタＱ２がオンすることによって、スピーカアンプ１２３の動作スイッチ回路１３５に相当するトランジスタスイッチＱ１がオン状態となる。
【００２４】
ツェナーダイオードＺＤ２は、トランジスタスイッチＱ１がオンした後は、端子１４への印加電圧が第１の電圧Ｖ１以上のときにトランジスタＱ２のオン状態を自己保持できる、第１の電圧Ｖ１よりも僅かに低いツェナー電圧Ｖ１−に設定されている。そして、一旦トランジスタスイッチＱ１がオン状態となったとき、トランジスタＱ２に対してはツェナーダイオードＺＤ２からもベース電流が通電されてＡ点電圧は大略１Ｖ以上が維持され、図４の（ｂ）に示す動作モード２の立ち上がり時電圧の場合は、トランジスタスイッチＱ１がオンした後において電源電圧が第１の電圧値Ｖ１まで低下しても、第２安定化電源１３７への入力電圧（Ｂ点電圧）は動作可能な電圧に維持されて、スピーカアンプ１２３は動作状態を継続する。また、立ち上がり時の端子１４への印加電圧が第１の検出電圧Ｖ１より高いときには、第１電圧検出スイッチ回路１３２及び第１安定化電源１３３も動作する。従って、映像部１１と音声部１２のマイクアンプ１２４等スピーカアンプを除く他の回路も正常に動作し、カメラ子機１は待機状態から動作モード２すなわち「来訪者通話モード」に移行する。
【００２５】
上記の「来訪者通話モード」は、来訪者との通話が終了し、テレビ親機２から出力されるカメラ子機１への供給電源の電圧である端子１４の印加電圧が、第１の検出電圧Ｖ１より低下し待機電圧Ｖｗに変わると、ツェナーダイオードＺＤ２からトランジスタＱ２のベースを介しての電流が流れなくなりトランジスタＱ２はオフ状態となる。そして、カメラ子機１は動作モード２すなわち「来訪者通話モード」から待機状態に戻る。
【００２６】
また、上記の回路構成において、カメラ子機１に印加される電源電圧である端子１４への印加電圧が、第１の検出電圧Ｖ１より高くて且つ第２の検出電圧Ｖ２より低いときは、トランジスタＱ２に対してツェナーダイオードＺＤ１からはベース電流が流れず、従って、トランジスタＱ２はオフ状態を継続することによりトランジスタスイッチＱ１はオフ状態を継続する。その結果、スピーカアンプ１２３用の第２安定化電源１３７からスピーカアンプ１２３へは電源電圧が供給されず動作しないこととなる。一方、第１電圧検出スイッチ回路１３２は、ツェナーダイオードＺＤ３が導通してオン状態となって第１安定化電源１３３が動作し、スピーカアンプを除く他の回路は動作状態となる。従って、図４の（ａ）に示す動作モード１すなわち「モニターモード」の立ち上がり時電圧の場合は、カメラ子機１のスピーカアンプ１２３を動作させることなく、映像部１１とマイクアンプ１２４等他の回路は正常に動作し、カメラ子機１は待機状態から動作モード１すなわち、映像による戸外監視モードである「モニターモード」に移行する。
【００２７】
また、テレビ親機２を呼び出す呼出スイッチＳＷは、カメラ子機１が待機状態においては、例えば呼出釦が操作され呼出スイッチＳＷがオン状態になると、テレビ親機１側にてカメラ子機２が呼出状態であることが検知され、直ちにカメラ子機２を「来訪者通話モード」に移行させるべく、カメラ子機１の端子１４に印加する電源電圧を第１の検出電圧Ｖ１以上の電源電圧に立ち上げる。このテレビ親機２からの動作電圧立ち上げの応答時間は、来訪者の呼出釦操作時間（発明者らの実測値において大略１５０ｍｓ以上であることが確認されている）よりも短い時間に設定しており、端子１４への印加電圧は直ちに立ち上がる。そして、スピーカアンプ１２３用の第２安定化電源１３７のトランジスタスイッチＱ１のエミッタへの印加電圧が上記に応じて立ち上がるときにはスイッチＳＷは閉路状態である。従って、このトランジスタスイッチＱ１は、第２の検出電圧Ｖ２検出用のツェナーダイオードＺＤ１及びトランジスタＱ２の回路で駆動されるまでもなく、直ちにオン状態となる。すなわち、呼出スイッチＳＷがオン状態の条件下にあっては、第２の検出電圧Ｖ２検出用のツェナーダイオードＺＤ１及びトランジスタＱ２によって構成された第２の検出電圧Ｖ２を検出する回路にて遅延することなくスピーカアンプが動作可能となる
上記のように、短時間の電源供給変化の立ち上がり形態の電源操作識別によってスピーカアンプが動作可能となるとともに、呼び出し用のチャイム音鳴動応答の即答性が確保できて、待機状態から直ちに動作状態へ移行することが可能となる。
【００２８】
［第２実施例］
また、カメラ子機１は、図５乃至図７に示す第２実施例の構成においても、電源入力の電圧または電流の大きさ変化を検出し識別する電源操作識別手段によって待機状態から複数の動作状態に制御することができる。図５は、第２実施例のカメラ子機のブロック図である。図６は、その要部である受電部の回路構成図である。図７は、図５に示すカメラ子機の入力電圧の波形図である。
【００２９】
このテレビドアホンシステムは、テレビ親機２の給電電圧の、待機電圧Ｖｗから第１電圧Ｖ１あるいは、待機電圧Ｖｗから第２電圧Ｖ２及び第１電圧Ｖ１への変化形態とカメラ子機１の一部の構成のみが第１実施例と異なるもので、他の構成部材は第１実施例のものと同一である。
【００３０】
このもののカメラ子機１の受電部１３は、インピーダンス変換回路１３１と、第１実施例の第１電圧検出スイッチ回路１３２と同じもので、動作電圧Ｖ２にて第１安定化電源１３３への電圧供給を制御する第２電圧検出スイッチ回路１３２と、スピーカアンプ１２３を除く他の回路に向けて電源を供給する第１安定化電源１３３と、端子１４に印可される電源入力電圧の大きさ変化を検出し識別する電源操作識別手段に相当する第２電圧検出回路１３４と、スピーカアンプ動作スイッチ回路１３５と、制御信号保持回路１３６と、スピーカアンプ用の第２安定化電源１３７と、電源操作識別手段に相当する第１電圧検出遅延トリガー発生回路１３８とを有している。詳しくは、図６に示すように、第２電圧検出回路１３４はツェナーダイオードＺＤ１を、第１電圧検出・トリガー発生回路１３８はツェナーダイオードＺＤ２をそれぞれ有して、制御信号保持回路１３６に相当するＤフリップフロップ回路に電源入力電圧の大きさ変化の検出結果を出力する。また、この制御信号保持回路１３６であるＤフリップフロップ回路には、テレビ親機２を呼び出すとともに閉路操作によってスピーカ１２１を動作する呼出スイッチＳＷがＳｅｔ端子に接続されている。
【００３１】
上記の回路構成において、このもののテレビ親機２の給電電圧の変化は、図７に示すように、動作モード１すなわち、映像による戸外監視モードである「モニターモード」においては、待機電圧Ｖｗから一旦第１の電圧Ｖ１まで立ち上がった後の僅かな時間ｔ１が経過した後、さらに第２の電圧Ｖ２まで上昇する２段階の変化をする。なお、前記のｔ１は、このものにおいては大略１００ｍｓとしている。また、動作モード２すなわち「来訪者通話モード」おいては、給電電圧の変化は、待機電圧Ｖｗから動作電圧である第２の電圧Ｖ２まで１段階で立ち上がる。
【００３２】
カメラ子機１は、端子１４への印加電圧が待機電圧Ｖｗのときは、第１電圧検出・トリガー発生回路１３８及び第２電圧検出回路１３４のトランジスタＱ１、Ｑ２は共にオフ状態で、ＤフリップフロップのＤ入力とＴ入力とはいずれもＬレベルである。また、ＤフリップフロップＲｅｓｅｔ入力はＨレベル、Ｓｅｔ入力はＬレベルにあるから、制御信号出力Ｑはリセット状態すなわちＬレベルにあり、待機状態が維持される。
【００３３】
図７の（ａ）に示す、動作モード１の「モニターモード」の立ち上がりの場合は、端子１４への印加電圧が待機電圧Ｖｗから第１の電圧Ｖ１に立ち上がると、第１電圧検出・トリガー発生回路１３８のトランジスタＱ１の出力すなわちＤフリップフロップのＲｅｓｅｔ入力は、ＨレベルからＬレベルに切り替わり、Ｄフリップフロップはアクティブ状態となる。また、第１電圧検出・トリガー発生回路１３８のＲ、Ｃによる遅延出力はｔ２時間の遅れの後、ＬレベルからＨレベルに切り替わって、ＤフリップフロップのＤ入力レベルを保持するトリガーをＴ入力に与える。このとき、端子１４への印加電圧は依然第１の電圧Ｖ１にあるため、第２電圧検出回路１３４の出力すなわちフリップフロップのＤ入力はＬレベルのままで、制御信号出力としてのフリップフロップのＱ出力は、Ｌレベルが保持される。従って、カメラ子機１の端子１４に印加される電源電圧が上記の電圧変化をしたときには、スピーカアンプ動作スイッチ回路１３５がオフ状態が維持されて第１実施例と同様に動作モード１の状態を得ることが可能となる。
【００３４】
また、図７の（ｂ）に示す、動作モード２の「来訪者通話モード」の立ち上がりの場合は、端子１４への印加電圧が待機電圧Ｖｗから第２の電圧Ｖ２に立ち上がると、第１電圧検出・トリガー発生回路１３８のトランジスタＱ１の出力すなわちＤフリップフロップのＲｅｓｅｔ入力は、ＨレベルからＬレベルに切り替わり、Ｄフリップフロップはアクティブな状態となる。また、第１電圧検出・トリガー発生回路１３８のＲ、Ｃによる遅延出力はｔ２時間の遅れの後、ＬレベルからＨレベルに切り替わって、ＤフリップフロップのＤ入力レベルを保持するトリガーをＴ入力に与える。このとき第２電圧検出回路１３４の出力すなわちフリップフロップのＤ入力は、第１電圧検出・トリガー発生回路１３８のトランジスタＱ１の出力と同時にＬレベルからＨレベルに切り替わっている。そして、制御信号出力としてのＤフリップフロップのＱ出力は、ＬレベルからＨレベルに切り替わってこのＨレベルが保持される。従って、カメラ子機１の端子１４に印加される電源電圧が上記の電圧変化をしたときには、スピーカアンプ動作スイッチ回路１３５がオン状態となって、第１実施例と同様に動作モード２の状態を得ることが可能となる。
【００３５】
また、テレビ親機２を呼び出す呼出スイッチＳＷは、カメラ子機１が待機状態においては、例えば呼出釦が操作され呼出スイッチＳＷがオン状態になると、テレビ親機１側にてカメラ子機２が呼出状態であることが検知され、直ちにカメラ子機２を「来訪者通話モード」に移行させるべく、カメラ子機１の端子１４に印加する電源電圧を第２の検出電圧Ｖ２以上の電源電圧に立ち上げる。これにより、ＤフリップフロップのＳｅｔ入力はＬレベルからＨレベルとなり、ＤフリップフロップのＱ出力は無条件にＨレベルにセットされて保持される。従って、この条件下にあっては、第１電圧検出・トリガー発生回路１３８による遅延要素もなく、待機状態から動作モード２の動作状態への移行する。
【００３６】
上記のように、短時間の電源供給変化の立ち上がり形態の電源操作識別によってスピーカアンプが動作可能となるとともに、呼び出し用のチャイム音鳴動応答の即答性が確保できて、待機状態から直ちに動作状態へ移行することが可能となる。
【００３７】
なお、図７に示す、第１の電圧持続時間ｔ１と、遅延トリガー発生のための遅延時間ｔ２の関係は、ｔ1＞ｔ2となるように設定されている。
【００３８】
以上説明したテレビドアホンシステムによると、カメラ付きドアホン子機１が供給電源の電圧または電流の大きさの変化によって複数の動作状態に制御されるものとなるので、簡単な回路構成によって制御できて、以て、安価な制御回路によって制御できる。また、カメラ付きドアホン子機１が短時間の供給電源の電圧または電流の大きさの変化によって制御されて動作状態の変わるものとなるので、制御による違和感がない。また、受話音声を出力するスピーカの動作が停止制御されるものとなるので、簡単な構成によって「モニターモード」及び「来訪者通話モード」のスピーカ動作の切り替えができ、以て、安価な制御回路によって制御できる。また、呼出スイッチの入操作によってスピーカが動作するように制御されるものとなるので、簡単な構成によって「モニターモード」から呼出スイッチの入操作による通常の「来訪者通話モード」に移行でき、以て、安価な制御回路によって制御できる。
【００３９】
なお、以上説明した実施の形態において、カメラ子機の電源操作識別手段をツェナーダイオードを用いたものとして、短時間の電圧変化を識別するものを例示して説明したが、本発明はそのもののみに限定するものでなく、例えば、カメラ子機の端子電圧の検出をＡＤ変換器を有しているマイクロコンピュータ等によって構成して、ソフトウエアプログラムに基づく処理により識別しても良い。このものにおいては、より短い時間的な電圧変化の識別によってより多くの動作モードの制御をなし得る効果を奏する。
【００４０】
【発明の効果】
請求項１または２記載のテレビドアホンシステムは、カメラ付きドアホン子機が供給電源の電圧または電流の大きさの変化によって複数の動作状態に制御されるものとなるので、簡単な回路構成によって制御できて、以て、安価な制御回路によって制御できる。また、カメラ付きドアホン子機が短時間の供給電源の電圧または電流の大きさの変化によって制御されるものとなるので、待機状態から直ちに動作状態へ移行することが可能となる。また、受話音声を出力するスピーカの動作が停止制御されるものとなるので、簡単な構成によって、例えば、「モニターモード」及び「来訪者通話モード」ようなスピーカ動作の切り替えができ、以て、安価な制御回路によって制御できる。またさらに、呼出スイッチの入操作によってスピーカが動作するように制御されるものとなるので、簡単な構成によって、例えば、「モニターモード」から呼出スイッチの入操作による通常の「来訪者通話モード」に移行するようなモード切替ができ、以て、安価な制御回路によって制御できる。
【図面の簡単な説明】
【図１】本発明の実施の形態の、第１実施例のテレビドアホンシステムのテレビ親機のブロック図である。
【図２】図１に示すテレビドアホンシステムのカメラ子機のブロック図である。
【図３】図２に示すカメラ子機の要部である受電部の回路構成図である。
【図４】図２に示すカメラ子機の入力電圧の波形図である。
【図５】第２実施例のテレビドアホンシステムのカメラ子機のブロック図である。
【図６】図５に示すカメラ子機の要部である受電部の回路構成図である。
【図７】図５に示すカメラ子機の入力電圧の波形図である。
【図８】従来例のテレビ親機のブロック図である。
【図９】従来例のカメラ子機のブロック図である。
【図１０】従来例の制御の説明図で、（ａ）は端子電圧の波形、（ｂ）はキャリア信号スペクトラムのモニターモード時、（ｃ）はキャリア信号スペクトラムの来客者通話モード時の説明図である
【符号の説明】
１    カメラ付きドアホン子機（カメラ子機）
１３４  第２電圧検出・制御回路（電源操作識別手段）
１３５  スピーカアンプ動作スイッチ（スイッチ手段）
ＳＷ  呼び出しスイッチ
２    テレビ付きインターホン親機（テレビ親機）
２４１  マイコン（電源操作手段）
【図１】
0003687227.tif 000002
【図２】
0003687227.tif 000003
【図３】
0003687227.tif 000004
【図４】
0003687227.tif 000005
【図５】
0003687227.tif 000006
【図６】
0003687227.tif 000007
【図７】
0003687227.tif 000008
【図８】
0003687227.tif 000009
【図９】
0003687227.tif 000010
【図１０】
0003687227.tif 000011